(57)【要約】【課題】駆動電圧のノイズが低減された電気光学モジュールを提供する。【解決手段】ドライバＤ１を備えたフレキシブル基板Ｆとは、別体に電源基板Ｂを設けることにより、電源基板Ｂから供給される駆動電圧のノイズを低減する。【選択図】  図１
2004361524.tif 000002
【特許請求の範囲】
【請求項１】
複数の電気光学素子を備えた電気光学パネルと、
前記電気光学パネルに供給するための信号を生成するドライバを備え、前記電気光学パネルに接続された配線基板と、
前記複数の電気光学素子を駆動するためのパネル用駆動電圧を生成する電源基板と、を含み、
前記パネル駆動電圧は、前記配線基板を経由して前記電気光学パネルに供給されること、
を特徴とする電気光学モジュール。
【請求項２】
請求項１に記載の電気光学モジュールにおいて、
前記パネル用駆動電圧は、前記ドライバを経由せずに、前記配線基板に設けられた駆動電圧用配線を介して、前記電気光学パネルに供給されること、
を特徴とする電気光学モジュール。
【請求項３】
請求項１または２に記載の電気光学モジュールにおいて、
前記電源基板は、さらに前記ドライバを駆動するためのドライバ用駆動電圧を生成し、
前記ドライバ用駆動電圧は前記ドライバに供給されること、
を特徴とする電気光学モジュール。
【請求項４】
請求項１乃至３のいずれかに記載の電気光学モジュールにおいて、
前記電源基板における前記パネル用駆動電圧の生成に用いられる基準電圧及び前記ドライバを制御するドライバ制御信号は、前記配線基板に設けられた第１のコネクタを介して外部から供給され、
前記基準電圧は、前記配線基板に設けられた前記第１のコネクタとは異なる第２のコネクタを介して前記電源基板に供給されること、
を特徴とする電気光学モジュール。
【請求項５】
請求項４に記載の電気光学モジュールにおいて、
前記パネル用駆動電圧または前記ドライバ用駆動電圧は、前記電源基板から前記第２のコネクタを介して前記配線基板を介して供給されること、
を特徴とする電気光学モジュール。
【請求項６】
請求項４または５に記載の電気光学モジュールにおいて、
前記基準電圧を前記電源基板に供給するために設けられた基準電圧用配線の前記第１のコネクタから前記第２のコネクタに至る配線距離は、前記ドライバ制御信号を、前記第１のコネクタから前記ドライバへ供給するためのドライバ制御信号用配線の配線距離より小であること、
を特徴とする電気光学モジュール。
【請求項７】
請求項６に記載の電気光学モジュールにおいて、
前記基準電圧用配線の線幅は、前記ドライバ制御信号用配線の線幅より大であること、
を特徴とする電気光学モジュール。
【請求項８】
外部から供給される基準電圧に基いて電気光学パネル用または前記電気光学パネルを駆動するドライバに供給する駆動電圧を生成する電源基板であって、
少なくとも１部が第１の導電材料により構成された、前記駆動電圧を伝送するための第１の導電層と、
少なくとも１部が第２の導電材料により構成された、前記基準電圧を伝送するための第２の導電層と、を含み、
前記第１の導電層と前記第２の導電層とは、少なくとも１つの絶縁層により隔てられていること、
を特徴とする電源基板。
【請求項９】
請求項８に記載の電源基板において、
さらに、少なくとも１部が第３の導電材料により構成され、所定電位に接続された第３の導電層を含んでいること、
を特徴とする電源基板。
【請求項１０】
請求項９に記載の電源基板において、
前記第３の導電層における前記第３の導電材料の占める面積は、前記第１の導電層における前記第１の導電材料が占める面積より大であること、
を特徴とする電源基板。
【請求項１１】
複数の電気光学素子を備えた電気光学パネルに前記複数の電気光学素子を駆動するための駆動信号を生成するためのドライバを備えた配線基板であって、
外部装置と前記配線基板とを接続するための第１のコネクタと、
前記複数の電気光学素子を駆動するための駆動電圧を生成する電源基板と接続するための第２のコネクタを備えていること、
を特徴とする配線基板。
【請求項１２】
請求項１１に記載の配線基板において、
前記複数の電気光学素子は、前記複数の電気光学素子の各々に対応して設けられた画素電極と前記複数の画素電極に対して共通に設けられた共通電極との間に設けられ、
前記共通電圧を供給するための第１の配線と、
前記複数の画素電極に駆動電圧を供給するための第２の配線と、を含み、
前記第１の配線の線幅は、前記第２の配線の線幅より大であること、
を特徴とする配線基板。
【請求項１３】
請求項１１に記載の配線基板において、
前記複数の電気光学素子は、赤色電気光学素子と、緑色電気光学素子と、青色電気光学素子と、を含み、
前記複数の電気光学素子は、前記複数の電気光学素子の各々に対応して設けられた画素電極と前記複数の画素電極に対して共通に設けられた共通電極との間に設けられ、
前記共通電圧を供給するための第１の配線と、
前記赤色電気光学素子に対応する画素電極に駆動電圧を供給するための赤色電気光学素子用配線と、
前記緑色電気光学素子に対応する画素電極に駆動電圧を供給するための緑色電気光学素子用配線と、
前記青色電気光学素子に対応する画素電極に駆動電圧を供給するための青色電気光学素子用配線と、を含み、
前記赤色電気光学素子用配線、前記緑色電気光学素子用配線、及び前記青色電気光学素子用配線のうち、少なくとも１種類の配線の線幅と、当該少なくとも１種類の配線以外の配線の線幅と、は異なっていること、
を特徴とする配線基板。
【請求項１４】
請求項１１に記載の配線基板において、
前記複数の電気光学素子は、赤色電気光学素子と、緑色電気光学素子と、青色電気光学素子と、を含み、
前記複数の電気光学素子は、前記複数の電気光学素子の各々に対応して設けられた画素電極と前記複数の画素電極に対して共通に設けられた共通電極との間に設けられ、
前記共通電圧を供給するための第１の配線と、
前記赤色電気光学素子に対応する画素電極に駆動電圧を供給するための赤色電気光学素子用配線と、
前記緑色電気光学素子に対応する画素電極に駆動電圧を供給するための緑色電気光学素子用配線と、
前記青色電気光学素子に対応する画素電極に駆動電圧を供給するための青色電気光学素子用配線と、を含み、
前記赤色電気光学素子用配線、前記緑色電気光学素子用配線、及び前記青色電気光学素子用配線の各種類の配線の線幅は、対応する電気光学素子の輝度効率により設定されていること、
を特徴とする配線基板。
【請求項１５】
請求項１１に記載の配線基板において、
前記複数の電気光学素子は、赤色電気光学素子と、緑色電気光学素子と、青色電気光学素子と、を含み、
前記複数の電気光学素子は、前記複数の電気光学素子の各々に対応して設けられた画素電極と前記複数の画素電極に対して共通に設けられた共通電極との間に設けられ、
前記共通電圧を供給するための第１の配線と、
前記赤色電気光学素子に対応する画素電極に駆動電圧を供給するための赤色電気光学素子用配線と、
前記緑色電気光学素子に対応する画素電極に駆動電圧を供給するための緑色電気光学素子用配線と、
前記青色電気光学素子に対応する画素電極に駆動電圧を供給するための青色電気光学素子用配線と、  を含み、
前記赤色電気光学素子用配線の線幅は、前記緑色電気光学素子用配線、及び前記青色電気光学素子用配線の線幅より大であること、
を特徴とする配線基板。
【請求項１６】
請求項１１に記載の配線基板において、
前記複数の電気光学素子は、赤色電気光学素子と、緑色電気光学素子と、青色電気光学素子と、を含み、
前記複数の電気光学素子は、前記複数の電気光学素子の各々に対応して設けられた画素電極と前記複数の画素電極に対して共通に設けられた共通電極との間に設けられ、
前記共通電圧を供給するための第１の配線と、
前記赤色電気光学素子に対応する画素電極に駆動電圧を供給するための赤色電気光学素子用配線と、
前記緑色電気光学素子に対応する画素電極に駆動電圧を供給するための緑色電気光学素子用配線と、
前記青色電気光学素子に対応する画素電極に駆動電圧を供給するための青色電気光学素子用配線と、  を含み、
前記緑色電気光学素子用配線の線幅は、前記赤色電気光学素子用配線及び前記青色電気光学素子用配線の線幅より小であること、
を特徴とする配線基板。
【請求項１７】
請求項１１乃至１６のいずれかに記載の配線基板において、
前記配線基板は、可撓性を有していること、
を特徴とする配線基板。
【請求項１８】
請求項１７に記載の配線基板と、
前記配線基板と接続された電気光学パネルと、を含み、
前記配線基板と前記電気光学パネルとは、前記電気光学パネルの外周をなす複数の辺のうち一つの辺にある接続部で接続され、
前記配線基板は、第１の部分と、前記配線基板を折り曲げられることにより設けられる、前記第１の部分に対向する第２の部分と、を含み、
前記第１の部分は、前記電気光学パネルの光が取り出される方向にある第１の主面の反対側の第２の主面に前記電気光学パネルを支持する支持部材を介して設けられ、
前記第２の部分は、前記第２の部分と前記第２の主面との間に前記第の１の部分が介在するように設けられ、
前記ドライバは、前記第１の部分と前記第２の部分との間に挟まれていること、
を特徴とする電気光学モジュール。
【請求項１９】
請求項１８に記載の電気光学モジュールにおいて、
前記第１のコネクタ及び前記第２のコネクタは、前記第２の部分に設けられていること、
を特徴とする電気光学モジュール。
【請求項２０】
請求項１８または１９に記載の電気光学モジュールにおいて、
前記第２の部分には、ベース部と前記ベース部から突出した第１の突出部とが設けられ、
前記第１のコネクタは、前記突出部の先端に設けられていること、
を特徴とする電気光学モジュール。
【請求項２１】
請求項２０に記載の電気光学モジュールにおいて、
前記第２の部分には、さらに前記ベース部から突出した第２の突出部とが設けられ、
前記第２のコネクタは、前記第２の突出部の先端に設けられていること、
を特徴とする電気光学モジュール。
【請求項２２】
請求項２１に記載の電気光学モジュールにおいて、
前記第２のコネクタを介して接続された電源基板を、さらに含み、
前記電源基板は、前記第２の主面に前記支持部材及び前記配線基板の前記第１の部分を介して設けられ、
前記電源基板は、前記第２のコネクタより前記電気光学パネルの前記接続部に近接して設けられていること、
を特徴とする電気光学モジュール。
【請求項２３】
請求項２２に記載の電気光学モジュールにおいて、
前記電源基板は、脱着可能な機構によって前記支持部材の取り付けられていること、
を特徴とする電気光学モジュール。
【請求項２４】
請求項１乃至７、請求項１８乃至２３のいずれかに記載の電気光学モジュールを備えた電子機器。
【発明の詳細な説明】
【０００１】
【発明の属する技術分野】
本発明は、電気光学モジュール、電源基板、配線基板、及び電子機器に関するものである。
【０００２】
【従来の技術】
液晶素子等の電気光学素子を備えた電気光学パネルを携帯電話やテレビ等の電子機器に装着する際の実装形態が知られている（例えば、特許文献１）。
【０００３】
【特許文献１】
特開平１０−２０９５８１号公報
【０００４】
【発明が解決しようとする課題】
しかしながら、電気光学パネル上の電気光学素子を安定的に駆動するためには、電気光学パネルそのもの構成だけではなく、電気光学パネルの実装方法、電気光学パネルと配線基板との接続方法、電気光学モジュールの構成や構造にも十分配慮する必要がある。
【０００５】
例えば、電気光学パネルの高精細化が進む現状において、制御信号のノイズや遅延、あるいは駆動電圧の不安定化などに対して、実装形態の面からも十分な対策を講じる必要がある。
【０００６】
本発明の一つの目的は、このような課題を解決するための電気光学モジュール及び、関連部品を提供することである。
【０００７】
【課題を解決するための手段】
本発明の第１の電気光学モジュールは、複数の電気光学素子を備えた電気光学パネルと、前記電気光学パネルに供給するための信号を生成するドライバを備え、前記電気光学パネルに接続された配線基板と、前記複数の電気光学素子を駆動するためのパネル用駆動電圧を生成する電源基板と、を含み、前記パネル用駆動電圧は、前記配線基板を経由して前記電気光学パネルに供給されること、を特徴とする。
【０００８】
上記の電気光学モジュールにおいて、前記ドライバを備える前記配線基板と、前記電源基板と、を別体に設けることにより、前記電源基板だけを検査することができ、動作不良の検出が容易となる。
【０００９】
また、ドライバの機能と電源回路の機能とを一体のＩＣとして構成した場合、上記のいずれかの機能に不良が発見された場合、ＩＣ全てを良品と交換する必要があるが、上記の本発明の電気光学モジュールのように、電源回路の機能を、前記ドライバを備える前記配線基板とは、別体の前記電源基に設けることにより、電源回路としての機能に動作不良が発見された場合において、良品の電源基板と交換するだけでよい。
【００１０】
なお、「電気光学パネル」とは、電気光学素子を備えたパネルであって、例えば、液晶パネルや有機ＥＬパネル等の表示パネルに代表される。
【００１１】
「電気光学モジュール」とは、上記の「電気光学パネル」を備えているものであり、例えば、液晶モジュールや有機ＥＬモジュールに代表される。
【００１２】
上記の電気光学モジュールにおいて、前記パネル用駆動電圧は、前記ドライバを経由せずに、前記配線基板に設けられた駆動電圧用配線を介して、前記電気光学パネルに供給されることが好ましい。
【００１３】
このようにすることにより、前記ドライバで生成する前記電気光学パネルの制御のためのデータ信号、クロック信号等の信号と前記電気光学パネルに供給される前記パネル用駆動電圧との干渉による、前記パネル用駆動電圧の不安定化、上記の信号の鈍りや遅延等の問題を軽減することができる。
【００１４】
上記の電気光学モジュールにおいて、前記電源基板は、さらに前記ドライバを駆動するためのドライバ用駆動電圧を生成し、前記ドライバ用駆動電圧は前記ドライバに供給されることが好ましい。
【００１５】
このような電気光学モジュールの利点の一つは、例えば、前記電源基板を、所望のスペックを有する電源基板と交換することにより、前記ドライバ用駆動電圧を変更することが可能となる点である。
【００１６】
上記の電気光学モジュールにおいて、前記電源基板における前記パネル用駆動電圧の生成に用いられる基準電圧及び前記ドライバを制御するドライバ制御信号は、前記配線基板に設けられた第１のコネクタを介して外部から供給され、前記基準電圧は、前記配線基板に設けられた前記第１のコネクタとは異なる第２のコネクタを介して前記電源基板に供給されるようにしてもよい。
【００１７】
上記の電気光学モジュールにおいて、「基準電圧」とは、例えば、携帯電話本体等の外部装置から供給されるバッテリ電源の電圧や、接地電位であってもよい。
【００１８】
上記の電気光学モジュールにおいて、前記パネル用駆動電圧あるいは前記ドライバ用駆動電圧は、前記接地電位と前記バッテリ電源の電圧とを基に生成される。
【００１９】
上記の電気光学モジュールにおいて、前記パネル用駆動電圧または前記ドライバ用駆動電圧は、前記電源基板から前記第２のコネクタを介して前記配線基板を介して供給されるようにしてもよい。
【００２０】
上記の電気光学モジュールにおいて、前記基準電圧を前記電源基板に供給するために設けられた基準電圧用配線の前記第１のコネクタから前記第２のコネクタに至る配線距離は、前記ドライバ制御信号を、前記第１のコネクタから前記ドライバへ供給するためのドライバ制御信号用配線の配線距離より小であることが好ましい。つまり、前記基準電圧用配線の引き回しを短くすることが好ましい。これにより、外部から供給される前記基準電圧の不安定化が軽減される。
【００２１】
上記の電気光学モジュールにおいて、前記基準電圧用配線の線幅は、前記ドライバ制御信号用配線の線幅より大であることが好ましい。これにより、前記基準電圧が前記電源基板に至るまでに生じる電圧降下等の問題を軽減することができる。
【００２２】
本発明の電源基板は、外部から供給される基準電圧に基いて電気光学パネル用または前記電気光学パネルを駆動するドライバに供給する駆動電圧を生成する電源基板であって、少なくとも１部が第１の導電材料により構成される、前記駆動電圧を伝送するための第１の導電層と、少なくとも１部が第２の導電材料により構成される、前記基準電圧を伝送するための第２の導電層と、を含み、前記第１の導電層と前記第２の導電層とは、少なくとも１つの絶縁層により隔てられていることを特徴とする。
【００２３】
つまり、導電材料を含む導電層を積層することにより、前記電源基板の必要とする占有面積を小とすることができる。
【００２４】
なお、前記第１の導電層には、前記駆動電圧を生成するための電子回路を備えていてもよい。
【００２５】
上記の電源基板において、さらに、少なくとも１部が第３の導電材料により構成され、所定電位に接続された第３の導電層を含んでいることが好ましい。前記所定電位とは、例えば、上述の接地電位やバッテリ電源の電圧である。
【００２６】
この電源基板を、データ信号等を伝送する信号配線と重ねて配置した電気光学モジュールにおいて、前記信号配線がノイズの発生源となった場合でも、前記第３の導電層によりノイズを遮断することができる。このため、前記駆動電圧の不安定化が抑制される。
【００２７】
このような効果は、前記第３の導電層において、前記第３の導電材料が占める面積をより大きくすることにより顕著となる。
【００２８】
本発明の配線基板は、複数の電気光学素子を備えた電気光学パネルに前記複数の電気光学素子を駆動するための駆動信号を生成するためのドライバを備えた配線基板であって、外部装置と前記配線基板とを接続するための第１のコネクタと、前記複数の電気光学素子を駆動するための駆動電圧を生成するための電源基板と前記配線基板とを接続するための第２のコネクタと、を備えていること、を特徴とする。
【００２９】
上記の配線基板において、例えば、基準電圧や前記ドライバに供給される制御信号等の携帯電話本体等の外部装置から供給される電圧や信号は、前記第１のコネクタを介して前記配線基板に供給され前記電源基板において生成したパネル用駆動電圧や前記ドライバを駆動するためのドライバ用駆動電圧等の前記電源基板において生成される電圧は、前記第２のコネクタを介して、前記配線基板に供給される。
【００３０】
前記第２のコネクタを介して、さらに前記電源基板を制御するための信号が、前記ドライバから前記電源基板を介して供給されるようにしてもよい。
【００３１】
上記の配線基板において、前記複数の電気光学素子は、前記複数の電気光学素子の各々に対応して設けられた画素電極と前記複数の画素電極に対して共通に設けられた共通電極との間に設けられ、前記共通電圧を供給するための第１の配線と、  前記複数の画素電極に駆動電圧を供給するための第２の配線と、を含み、前記第１の配線の線幅は、前記第２の配線の線幅より大であることが好ましい。
【００３２】
これにより、共通電極に対する電圧供給を安定的に行うことができる。
【００３３】
上記の配線基板において、「共通電極」とは、例えば、有機ＥＬ装置においては、画素電極に対向して設けられる対向電極である。当該対向電極が陰極である場合、共通電極の電位は、接地電位である。
【００３４】
上記の配線基板において、前記複数の電気光学素子は、赤色電気光学素子と、緑色電気光学素子と、青色電気光学素子と、を含み、前記複数の電気光学素子は、前記複数の電気光学素子の各々に対応して設けられた画素電極と前記複数の画素電極に対して共通に設けられた共通電極との間に設けられ、前記共通電圧を供給するための第１の配線と、前記赤色電気光学素子に対応する画素電極に駆動電圧を供給するための赤色電気光学素子用配線と、前記緑色電気光学素子に対応する画素電極に駆動電圧を供給するための緑色電気光学素子用配線と、前記青色電気光学素子に対応する画素電極に駆動電圧を供給するための青色電気光学素子用配線と、  を含み、  前記赤色電気光学素子用配線、前記緑色電気光学素子用配線、及び前記青色電気光学素子用配線のうち、少なくとも１種類の配線の線幅と、当該少なくとも１種類の配線以外の配線の線幅と、は異なっていてもよい。
【００３５】
上記の配線基板において、前記複数の電気光学素子は、赤色電気光学素子と、緑色電気光学素子と、青色電気光学素子と、を含み、前記複数の電気光学素子は、前記複数の電気光学素子の各々に対応して設けられた画素電極と前記複数の画素電極に対して共通に設けられた共通電極との間に設けられ、前記共通電圧を供給するための第１の配線と、前記赤色電気光学素子に対応する画素電極に駆動電圧を供給するための赤色電気光学素子用配線と、前記緑色電気光学素子に対応する画素電極に駆動電圧を供給するための緑色電気光学素子用配線と、前記青色電気光学素子に対応する画素電極に駆動電圧を供給するための青色電気光学素子用配線と、  を含み、前記赤色電気光学素子用配線、前記緑色電気光学素子用配線、及び前記青色電気光学素子用配線の各種類の配線の線幅は、対応する電気光学素子の輝度効率により設定されていることが好ましい。
【００３６】
上記の配線基板は、例えば、電気光学素子が色によって特性や視感度が異なる場合、それらの条件に応じて配線の幅を異ならせることで、特性や視感度の補償という点で有利である。
【００３７】
上記の配線基板において、前記複数の電気光学素子は、赤色電気光学素子と、緑色電気光学素子と、青色電気光学素子と、を含み、前記複数の電気光学素子は、前記複数の電気光学素子の各々に対応して設けられた画素電極と前記複数の画素電極に対して共通に設けられた共通電極との間に設けられ、前記共通電圧を供給するための第１の配線と、  前記赤色電気光学素子に対応する画素電極に駆動電圧を供給するための赤色電気光学素子用配線と、前記緑色電気光学素子に対応する画素電極に駆動電圧を供給するための緑色電気光学素子用配線と、前記青色電気光学素子に対応する画素電極に駆動電圧を供給するための青色電気光学素子用配線と、を含み、前記赤色電気光学素子用配線の線幅は、前記緑色電気光学素子用配線、及び前記青色電気光学素子用配線の線幅より大であるようにしてもよい。
【００３８】
この配線基板のように、赤色電気光学素子用配線の線幅を大とすることにより、赤色電気光学素子の輝度効率が相対的に劣る場合でも、赤色電気光学素子の輝度を補償することができる。
【００３９】
上記の配線基板において、前記複数の電気光学素子は、赤色電気光学素子と、緑色電気光学素子と、青色電気光学素子と、を含み、前記複数の電気光学素子は、前記複数の電気光学素子の各々に対応して設けられた画素電極と前記複数の画素電極に対して共通に設けられた共通電極との間に設けられ、前記共通電圧を供給するための第１の配線と、前記赤色電気光学素子に対応する画素電極に駆動電圧を供給するための赤色電気光学素子用配線と、前記緑色電気光学素子に対応する画素電極に駆動電圧を供給するための緑色電気光学素子用配線と、前記青色電気光学素子に対応する画素電極に駆動電圧を供給するための青色電気光学素子用配線と、を含み、前記緑色電気光学素子用配線の線幅は、前記赤色電気光学素子用配線及び前記青色電気光学素子用配線の線幅より小であることが好ましい。
【００４０】
このように、前記緑色電気光学素子用配線の線幅を相対的に小とすることにより、緑色電気光学素子に輝度効率が高い場合でも、緑画素の輝度を補償することができる。
【００４１】
上記の配線基板において、前記配線基板は、可撓性を有していることが好ましく、少なくとも１部分で折り曲げられることが好ましい。
【００４２】
上記の配線基板において、上記の配線基板の少なくとも１部に３辺からなる切り込みを設けることが好ましい。例えば、上位の３辺は、上記の配線基板に設けられたドライバ等の構造物に適合させて設けることが好ましい。これにより、上記の配線基板を折り曲げた場合でも、当該構造物は、折り曲げられずに破壊されない。
【００４３】
本発明の第２の電気光学モジュールは、上記の配線基板と、前記配線基板と接続された電気光学パネルと、を含み、記配線基板と前記電気光学パネルとは、前記電気光学パネルの外周をなす複数の辺のうち一つの辺にある接続部で接続され、前記配線基板は、第１の部分と、前記配線基板を折り曲げられることにより設けられる、前記第１の部分に対向する第２の部分と、を含み、前記第１の部分は、前記電気光学パネルの光が取り出される方向にある第１の主面の反対側の第２の主面に前記電気光学パネルを支持する支持部材を介して設けられ、前記第２の部分は、前記第２の部分と前記第２の主面との間に前記第の１の部分が介在するように設けられ、前記ドライバは、前記第１の部分と前記第２の部分との間に挟まれていることを特徴としている。
【００４４】
つまり、上記の電気光学モジュールにおいては、光の取り出し方向とは逆、すなわち、前記電気光学パネルの裏面を利用して、前記配線基板が取り付けられており、スペースが有効に利用されている。
【００４５】
さらに、上記の電気光学モジュールにおいて、前記ドライバは、屈曲構造を有する前記配線基板に挟まれているので、前記ドライバに加えられる機械的力、光、あるいは熱等の外部因子の影響が緩和されるという効果も奏する。
【００４６】
上記の電気光学モジュールにおいて、前記第１のコネクタ及び前記第２のコネクタは、前記第２の部分に設けられていることが好ましい。
【００４７】
上記の電気光学モジュールにおいて、前記第２の部分には、ベース部と前記ベース部から突出した第１の突出部とが設けられ、前記第１のコネクタは、前記突出部の先端に設けられていることが好ましい。
【００４８】
上記の電気光学モジュールにおいて、前記第１の突出部が、前記電気光学パネルの外周をなす複数の辺のうち、前記電気光学パネルと前記配線基板とを接続する接続部のある辺から張り出すように設けられていることが好ましい。
【００４９】
これにより、携帯電話等の外部装置との接続が容易となる。
【００５０】
上記の電気光学モジュールにおいて、前記第２の部分には、前記ベース部から突出した第２の突出部とが設けられ、前記第２のコネクタは、前記第２の突出部の先端に設けられていることが好ましい。
【００５１】
上記の電気光学モジュールにおいて、前記ベース部から前記第１の突出部の先端までの距離は、前記ベース部から前記第２の突出部の先端の先端までの距離よりも長いことが好ましい。
【００５２】
上記の電気光学モジュールにおいて、前記第１の突出部の前記ベース部との付根の位置は、前記第２の突出部の前記ベース部との付根の位置より、前記電気光学パネルの外周をなす複数の辺のうち、前記接続部のある辺と交わる２辺のうちいずれかの１辺により近接して設けられていることが好ましい。
【００５３】
つまり、前記第２の突出部の前記ベース部における付根の位置は、前記第１の突出部の前記ベース部における付根の位置より中央に位置していることが好ましい。
【００５４】
上記の電気光学モジュールにおいて、前記第２のコネクタを介して接続された電源基板を、さらに含み、前記電源基板は、前記第２の主面に前記支持部材及び前記配線基板の前記第１の部分を介して設けられ、前記電源基板は、前記第２のコネクタより前記電気光学パネルの前記接続部に近接して設けられていることが好ましい。
【００５５】
後述するように、ドライバが、当該ドライバと電気光学パネルとの接続部に対して近接して設けられると、当該ドライバと当該接続部とを接続する複数の配線間の間隔が当該接続に近接する程、広がる。つまり、当該複数の配線の距離が中央程、短くなり、当該複数の配線の距離が位置により異なることになり、これにより、当該複数の配線を介して伝送される信号の間の時間的ずれ等の不都合が生ずる。
【００５６】
従って、ドライバは、当該ドライバと電気光学パネルとの接続部に対してある程度の距離を保って設けることが望ましい。
【００５７】
しかし、その一方で、配線基板において、ドライバと当該ドライバと電気光学パネルとの接続部との間のスペースは無駄なスペースということなる。そこで、本発明の電気光学モジュールにおいては、この無駄なスペースを利用して、電源基板を設けることにより、電気光学パネルの裏面のスペースを有効に利用している。
【００５８】
上記の電気光学モジュールにおいて、前記電源基板は、脱着可能な機構によって前記支持部材の取り付けられていることが好ましい。上記の電気光学モジュールにおいて、前記電源基板に不良が発見された場合、容易に取り外し、良品と交換することができる。また、必要に応じて、所望のスペックを有する電源基板との交換も可能である。
【００５９】
本発明の電子機器は、上記の電気光学モジュールを備えている。
【００６０】
【発明の実施の形態】
表示モジュールＭはフレキシブル基板と表示パネルＰと表示パネルＰを支持するためのフレームＳＦとにより構成されている。図１に表示モジュールの裏面（表示部の反対側）の構成を示した。図２（Ａ）及び図２（Ｂ）には、それぞれ図１におけるＸ−Ｘ’  断面及びＹ−Ｙ’断面が示されている。図１が示しているように表示モジュールＭの裏面には、ドライバＤ１及び補助ドライバＤ２を備えたフレキシブル基板Ｆ及び電源基板Ｂが設けられている。
【００６１】
ドライバＤ１は、図２（Ｂ）に示したように折り曲げられたフレキシブル基板Ｆの２つの部分によって挟まれている。ドライバＤ１は、データ信号、プリチャージ信号、クロック信号、検査信号、走査線駆動回路を制御するための制御信号、ドライバＤ１自身及び表示パネルＰに供給する駆動電圧を制御するための信号等を生成する。
【００６２】
補助ドライバＤ２は、フレキシブル基板Ｆの上述の折り曲げられた部分以外の部分に切り込み（後述する図５における切り込みＫに対応）が設けられ、展開された部分に設けられている。補助ドライバＤ２は、フレキシブル基板Ｆどの部分にも覆われてはおらず、露出している。補助ドライバＤ２は、メモリ部、パスコン等を備えており、ドライバＤ１の動作を補助する機能を有している。
【００６３】
電源基板Ｂは、主に表示パネルに備えられている画素回路、走査線駆動回路、検査回路等のパネル用駆動電圧やドライバＤ１を駆動するためのドライバ用駆動電圧を生成している。
【００６４】
電源基板Ｂは第２のコネクタＣ２を介してフレキシブル基板に接続されており、後述するような機構によってフレームＳＦに固定されている。フレキシブル基板Ｆは、表示パネルＰの電源基板Ｂに近い辺で折り曲げられ表示パネルＰに接続されているが、これにより、電源基板Ｂは、ドライバＤ１よりフレキシブル基板Ｆと表示パネルＰとの接続部の近くに配置されることになる。
【００６５】
ドライバから電気光学パネルに至る配線のパターンは、扇形あるいはそれに類似した形状となるが、当該ドライバが電気光学パネルとの接続部に対して近接して設けられると、より広がった扇形形状となる。つまり、中央部に位置する配線の長さと端部に位置する配線の長さとの間に大きな差異が生じることとなる。これにより、当該配線を介して伝送される信号の間の時間的ずれ等の不都合が生ずる。従って、ドライバは、当該ドライバと電気光学パネルとの接続部に対してある程度の距離を保って設けることが望ましい。
【００６６】
しかし、その一方で、配線基板において、ドライバと当該ドライバと電気光学パネルとの接続部との間のスペースは無駄なスペースということなる。そこで、本実施形態の電気光学モジュールＭにおいては、この無駄なスペースを利用して、電源基板Ｂを設けることにより、電気光学パネルの裏面のスペースを有効に利用している。
【００６７】
上述のようにドライバＤ１と電源基板Ｂとが、重ならないように配置されているため、表示モジュールＭの断面方向の厚みを小さくすることができる。
【００６８】
なお、図２のおいては、電源基板Ｂが、フレキシブル基板Ｆと接するようになっているが、電源基板Ｂで発生した熱を効率良く散逸させるためには、電源基板Ｂとフレキシブル基板Ｆとの間に隙間を設けるようにしてもよい。
【００６９】
フレームＳＦは、金属材料で構成されているが、これにより金属材料の熱伝導性により、表示パネルＰに通電する等により発生する熱が、外部に放散される。さらに、フレームＳＦには、複数の孔Ｈが設けられており、放熱効果をより向上させている。
【００７０】
次に電源基板Ｂの断面構造について説明する。電源基板Ｂは複数の導電層を含む多層構造を有している。本実施形態では、具体的には４層構造を有しており、コネクタＣ２の接続部に近い層から、第１導電層Ｌ１、第２導電層Ｌ２、第３導電層Ｌ３、及び第４導電層Ｌ４となっている。第１導電層Ｌ１〜第２導電層Ｌ４のいずれも、その少なくとも１部分は導電材料で構成されている。第１導電層Ｌ１と第２導電層Ｌ２との間、第２導電層Ｌ２と第３導電層Ｌ３との間、及び第３導電層Ｌ３と第４導電層Ｌ４との間には、それぞれ、第１絶縁層Ｉ１、第２絶縁層Ｉ２、及び第３絶縁層Ｉ３が設けられている。図示しないが、上記の各絶縁層には、上下導通のためのコンタクトホールが設けられている。
【００７１】
表示モジュールＭにコネクタＣ１を介して外部装置から供給される電源電圧Ｖ及び接地電位Ｇは、それぞれ第２導電層Ｌ２及び第３導電層Ｌ３に供給されている。第１導電層Ｌ１は、基準電圧Ｖ及び接地電位Ｇに基いて生成された表示パネルＰ用のパネル駆動電圧ＶＰやドライバＤ１や補助ドライバＤ２のドライバ用駆動電圧ＶＤ等を伝導させる導電層として用いられており、パネル用駆動電圧ＶＰやドライバ用駆動電圧ＶＤはコネクタＣ２及びフレキシブル基板Ｆを介して表示パネルＰに供給されることになる。
【００７２】
電源基板Ｂの裏面に相当する、最下層の第４導電層Ｌ４は、所定の電位に設定されている。本実施形態では、電源基板Ｂの裏面全体が導電材料により構成されている。
【００７３】
ところで、表示モジュールＭにおいて、ドライバＤ１からのデータ信号、クロック信号等の信号を表示パネルＰに供給するための信号配線は、第４導電層Ｌ４に近接しているが、上述のように第４導電層Ｌ４は所定の電位に設定されているので、上記の信号配線を通過する信号の電位の変動、あるいはノイズ等の電源基板Ｂに対する影響が、第４導電層Ｌ４により遮蔽される。このため、電源基板Ｂで生成したパネル用駆動電圧等を安定に表示パネルＰに供給することができる。
【００７４】
なお、本実施形態では、第１層Ｌ１〜第４層Ｌ４は、いずれも銅薄膜により構成されている。
【００７５】
次に図４を参照して、表示モジュールＭの構成について詳述する。
【００７６】
表示パネルＰの表示面（光が取り出される方向）側の主面には、円偏光フィルムＣＰＦが備え付けられている。
【００７７】
表示パネルＰの表示面側の主面の反対側には、接着テープＡＴ３を介してフレームＳＦが取り付けられている。
【００７８】
フレームＳＦの、表示パネルＰが取り付けられた側の主面とは反対側の主面には、接着テープＡＴ２を介してフレキシブル基板Ｆが取り付けられている。フレキシブル基板Ｆの、フレームＳＦ側の主面とは反対側の第１の主面には、上述のようにドライバＤ１と補助ドライバＤ２とが配置されている。ドライバＤ１は、フレキシブル基板Ｆの前記第１の主面と、フレキシブル基板Ｆの折り曲げられた部分との間に挟まれており、ドライバＤ１と当該折り曲げられた部分との間には接着テープＡＴ１が介在している。
【００７９】
電源基板Ｂは、絶縁テープＩＴ１を介してフレキシブル基板Ｆの前記第１の主面に配置されている。なお、電源基板Ｂは、フレームＳＦの突出部Ｗに設けられた孔に、電源基板Ｂに設けられた突出部Ｑを嵌め込むという機構で、固定されている。一方、電気的な接続は、電源基板Ｂに設けられたコネクタＣ２（Ｂ）にフレキシブル基板Ｆに設けられたコネクタＣ２（Ａ）を接続することにより為されている。このような簡単な機構で、電源基板Ｂは固定され、かつまた、電気的に接続されているので、電源基板Ｂに不良があることが判明した場合、容易に取り替えることができる。また、駆動電圧の出力等の性能等の異なる電源基板Ｂも容易に取り替えることができる。
【００８０】
また、電源基板ＢをドライバＤ１とは別体で設けられているので、ドライバＤ１及び電源基板Ｂに対してそれぞれ専用の検査用端子を設けることができる。このため、不具合の原因等を短時間で調べることができ、電源基板Ｂ及びドライバＤの性能評価も比較的容易に行うことができる。
【００８１】
図５を参照しながら、フレキシブル基板Ｆの詳細な構造について述べる。
【００８２】
フレキシブル基板Ｆには前述のように、補助ドライバＤ２の少なくとも１辺と当該１辺と交わる２辺の少なくとも一部に沿って切り込みＫがもうけられている。このため、フレキシブル基板Ｆを図２に示したように折り曲げても、補助ドライバＤ２は折り曲げられることはない。
【００８３】
ベース部から突き出した第１の突出部Ｕ１の先端部にはフレキシブル基板Ｆ側の接続部であるコネクタＣ１が設けられ、ベース部から突き出した第２の突出部Ｕ２の先端部にはフレキシブル基板Ｆ側の接続部であるコネクタＣ２が設けられている。図５からも明らかなようにコネクタＣ１と第１の突出部の付け根との距離は、にコネクタＣ２と第２の突出部の付け根との距離より長くなるように構成されている。このため、先に説明した図１からも分かるように、表示パネルＰとフレキシブル基板とを接続し、実装した場合、表示パネルＰの外周からコネクタＣ１が突き出した構造となる。コネクタＣ１が表示パネルＰから突き出しているので、コネクタＣ１と外部装置との接続が立体的に容易となる。
【００８４】
フレキシブル基板Ｆには、接地電位Ｇを表示パネルＰに供給するための配線ＷＧ、赤画素（赤色電気光学素子）用の駆動電圧を表示パネルＰに供給するための配線ＷＲ、緑画素（緑色電気光学素子）用の駆動電圧を表示パネルＰに供給するための配線ＷＧｒ、青画素（青色電気光学素子）用の駆動電圧を表示パネルＰに供給するための配線ＷＢが設けられている。配線ＷＧは、上述の配線のうち最も、フレキシブルＦの外側に設けられており、フレキシブル基板Ｆの外周から、配線ＷＧ、配線ＷＲ、配線ＷＧｒ、配線ＷＢの順に設けられている。
【００８５】
配線ＷＧは、表示パネルＰにおいて画素電極に対向して設けられた共通電極に接続されているが、このため、配線抵抗を低くするために配線ＷＧの配線の幅を大きく  している。結果的に、配線ＷＲ、ＷＧｒ、ＷＢのいずれより線幅が広くなっている。
【００８６】
配線ＷＲ、ＷＧｒ、ＷＢの線幅は、画素に配置された有機ＥＬ素子の特性や、色バランス等を考慮して適宜設定することができるが、本実施形態で採用している赤画素用の有機ＥＬ素子の発光効率が、緑画素用の有機ＥＬ素子の発光効率より相対的に低く、また、色バランス等を考慮して、線幅がＷＲ＞ＷＢ＞ＷＧｒになるように設定している。
【００８７】
次に、表示モジュールＭにおける種々の電圧及びデータ信号等の種々の信号の伝送経路について、図６〜図８の模式図を用いて説明する。
【００８８】
図６を用いて、接地電位Ｇの供給について述べる。外部装置ＥからコネクタＣ１を介して供給される接地電位Ｇは、ドライバＤ１、補助ドライバＤ２、及び表示パネルＰに供給される。さらに第２のコネクタＣ２を介して、フレキシブル基板Ｆとは別体に設けられた電源基板Ｂにも接地電位Ｇは供給される。
【００８９】
図７を用いてドライバＤ及び表示パネルＰに供給される駆動電圧について述べる。外部装置ＥからコネクタＣ１を介して供給される電源電圧Ｖは、いったん第２のコネクタＣ２を介して電源基板Ｂに入力される。電源基板Ｂでは、電源電圧Ｖ及び上述した接地電位Ｇを基に、ドライバＤに供給するドライバ用駆動電圧ＶＤ及び表示パネルＰに供給するパネル用駆動電圧ＶＰを生成する。
【００９０】
ドライバ用駆動電圧ＶＤには、例えば、Ｄ／Ａコンバータの基準電圧、プリチャージ電圧、あるいは、走査線駆動回路のための駆動電圧等が含まれる。
【００９１】
一方、パネル用駆動電圧ＶＰは、ドライバＤ１を経由せずに直接、表示パネルＰに供給される。パネル用駆動電圧ＶＰには、例えば、電気光学素子を駆動するための駆動電圧が含まれる。これらの駆動電圧は、図５の説明で述べた、赤画素（赤色電気光学素子）用の駆動電圧を表示パネルＰに供給するための配線ＷＲ、緑画素（緑色電気光学素子）用の駆動電圧を表示パネルＰに供給するための配線ＷＧｒ、及び青画素（青色電気光学素子）用の駆動電圧を表示パネルＰに供給するための配線ＷＢを介して、表示パネルＰに供給される。
【００９２】
パネル用駆動電圧ＶＰやドライバ用駆動電圧ＶＤの生成やレベル等を調整には、ドライバＤ１から供給される制御信号ＳＰが利用されている。この制御信号ＳＰとして、例えば、表示パネルＰの電気光学素子の劣化や温度等の使用環境に関するデータを電源基板Ｂに供給することにより、パネル用駆動電圧ＶＰやドライバ用駆動電圧ＶＤの出荷時の初期設定やフィールドにおける再設定等を行うことが可能となる。
【００９３】
一例を挙げれば、表示パネルＰが赤（Ｒ）、緑（Ｇ）、及び青（Ｂ）といった発光色の異なる有機エレクトロルミネッセンス素子から構成されている場合、色バランスの調整、経時変化、あるいは使用環境等の条件に応じて有機エレクトロルミネッセンス素子の駆動電圧を調整することがあるが、上述の条件に基いて生成した制御信号ＳＰを電源基板Ｂに供給することによって、表示パネル用駆動電圧ＶＰのレベルを適宜調整することができる。
【００９４】
また、上述のような条件に応じて、表示パネルＰに供給するデータ信号を加工する必要がある場合は、制御信号ＳＰを電源基板Ｂに供給することにより、Ｄ／Ａコンバータの基準電圧の変更や調整を行うことができる。
【００９５】
次に、図８を用いて、ドライバＤを制御するための制御信号Ｓの供給について述べる。外部装置Ｅから第１のコネクタＣ１を介して供給された制御信号Ｓは、ドライバＤ１に入力される。制御信号Ｓには、例えば、Ｄ／Ａ変換を行うためのデジタルデータ、タイミングの制御を行う基準信号となるクロック信号、走査信号を生成するための信号等が含まれる。ドライバＤ１は、制御信号Ｓを基に、上述した、表示パネルＰに供給する種々の信号を生成する。
【００９６】
図６〜図８に示した構成とすることにより、以下のような効果が得られる。すなわち、外部装置Ｅから入力される電源電圧ＶをドライバＤに入力することなしに、コネクタＣ２を介して短い経路で電源基板Ｂに入力しているので、配線の引き回し等による電圧降下等や、外部からの電圧の変動要因の影響を低減することができる。
【００９７】
なお、本実施形態において、具体的には、電源電圧Ｖあるいは接地電位Ｇを供給するために設けられた配線のコネクタＣ１から電源基板Ｂに至る配線距離を制御信号Ｓを供給するために設けられた配線のコネクタＣ１からドライバＤ１に至る配線距離に比べて短くしている。
【００９８】
また、電源電圧Ｖあるいは接地電位Ｇを供給するために設けられた配線の、コネクタＣ１から電源基板Ｂに至る配線の幅を、制御信号Ｓのための配線の、コネクタＣ１からドライバＤ１に至る配線の幅に比べて大きくしている。  これにより、  電源電圧Ｖの電圧降下等、ノイズの発生等の問題が軽減される。
【００９９】
上述の表示モジュールは、モバイル型のパーソナルコンピュータや、携帯電話や、ディジタルスチルカメラ等の種々の電子機器に搭載することができる。
【０１００】
図９は、モバイル型のパーソナルコンピュータの構成を示す斜視図である。
パーソナルコンピュータ１０００は、キーボード１０２０を備えた本体部１０４０と、本発明の実施形態に係る表示モジュールを用いた表示部１０６０とを備えている。
【０１０１】
図１０は、携帯電話の斜視図である。携帯電話２０００は、複数の操作ボタン２０２０と、受話口２０４０と、送話口２０６０と、本発明の実施形態に係る表示モジュールを用いた表示部２０８０とを備えている。
【０１０２】
図１１は、ディジタルスチルカメラ３０００の構成を示す斜視図である。なお、外部機器との接続についても簡易的に示している。通常のカメラは、被写体の光像によってフィルムを感光するのに対し、ディジタルスチルカメラ３０００は、被写体の光像をＣＣＤ（Ｃｈａｒｇｅ  Ｃｏｕｐｌｅｄ  Ｄｅｖｉｃｅ）等の撮像素子の光電変換によって撮像信号を生成するものである。ここで、ディジタルスチルカメラ３０００のケース３０２０の背面には、本発明の実施形態に係る表示モジュールを用いた表示部３０４０が設けられており、ＣＣＤによる撮像信号に基づいて表示が行われる。このため、表示部３０４０は、被写体を表示するファイダとして機能する。また、ケース３０２０の観察側（図においては裏面側）には、光学レンズやＣＣＤ等を含んだ受光ユニット３０６０が設けられている。
【０１０３】
ここで、撮影者が表示パネル３０４０に表示された被写体像を確認して、シャッタボタン３０８０を押下すると、その時点におけるＣＣＤの撮像信号が、回路基板３１００のメモリに転送・格納される。また、ディジタルスチルカメラ３０００にあっては、ケース３０２０の側面に、ビデオ信号出力端子３１２０と、データ通信用の入出力端子３１４０とが設けられている。そして、図に示されるように、前者のビデオ信号出力端子３１２０には、テレビモニタ４３００が、また、後者のデータ通信用の入出力端子３１４０にはパーソナルコンピュータ４４００が、それぞれ必要に応じて接続される。さらに、所定の操作によって、回路基板３１００のメモリに格納された撮像信号が、テレビモニタ４３００や、パーソナルコンピュータ４４００に出力される。
【０１０４】
なお、電子機器としては、図９のパーソナルコンピュータや、図１０の携帯電話、図１１のディジタルスチルカメラのほかにも、テレビ、ビューファインダ型やモニタ直視型のビデオテープレコーダ、カーナビゲーション装置、ページャ、電子手帳、電卓、ワードプロセッサ、ワークステーション、テレビ電話、ＰＯＳ（Ｐｏｉｎｔ  Ｏｆ  Ｓａｌｅ）端末、タッチパネルを備えた機器等を挙げることができる。
【図面の簡単な説明】
【図１】本発明の実施形態に係る表示モジュールの裏面の構成を示す図である。
【図２】本発明の実施形態に係る表示モジュールの断面構造を示す図である。
【図３】本発明の実施形態に係る電源基板の断面構造を示す図である。
【図４】本発明の実施形態に係る表示モジュールの組み立て図である。
【図５】本発明の実施形態に係るフレキシブル基板の平面構造を示す図である。
【図６】本発明の実施形態に係るフレキシブル基板の配線構造を模式的に表わした図である。
【図７】本発明の実施形態に係るフレキシブル基板の配線構造を模式的に表わした図である。
【図８】本発明の実施形態に係るフレキシブル基板の配線構造を模式的に表わした図である。
【図９】本発明の実施形態に係る電子機器について説明する図である。
【図１０】本発明の実施形態に係る電子機器について説明する図である。
【図１１】本発明の実施形態に係る電子機器について説明する図である。
【符号の説明】
Ｂ・・・電源基板
Ｃ１・・・コネクタ
Ｃ２・・・コネクタ
Ｄ１・・・ドライバ
Ｄ２・・・補助ドライバ
Ｆ・・・フレキシブル基板
Ｍ・・・表示モジュール
【図１】
2004361524.tif 000003
【図２】
2004361524.tif 000004
【図３】
2004361524.tif 000005
【図４】
2004361524.tif 000006
【図５】
2004361524.tif 000007
【図６】
2004361524.tif 000008
【図７】
2004361524.tif 000009
【図８】
2004361524.tif 000010
【図９】
2004361524.tif 000011
【図１０】
2004361524.tif 000012
【図１１】
2004361524.tif 000013